(57)【要約】【課題】同じマネキン人形に異なる靴を展示する可能なマネキン人形の足の構造を提供する。【解決手段】マネキン人形のふくらはぎ１と足２の部分が二つに分離でき、ふくらはぎ１の断面に磁石１０及び多辺形の突起部分あるいは多辺形穴１１が設置されている。それに対応する足２の部分の断面に、磁石２０及び多辺形突起部分あるいは多辺形穴２１が設置されていることにより、両方の磁石１０、２０が互いに吸い付ける作用と、多辺形突起部分あるいは多辺形穴１１、２１がはまり込んで固定される作用により、足２の部分が簡単にマネキン人形のふくらはぎ１に結合され、離脱するのを回避し、また簡単にマネキン人形のふくらはぎ１から足２の部分を取り外せる。また、マネキン人形の背面の適度な箇所に高度調整が可能な固定支柱を設置することで、マネキン人形全体を支え、固定する。【選択図】図１
0003135985.tif 000002
【実用新案登録請求の範囲】
【請求項１】
マネキン人形のふくらはぎとマネキン人形の足とは、２つの部分に分解可能な設計となっており、
前記マネキン人形のふくらはぎの断面は、磁石と、穴と、突起部分または多辺形の穴とを備え、
前記マネキン人形のふくらはぎに対応する前記マネキン人形の足の断面は、磁石と、突起部分と、穴または多辺形の突起部分とを備え、
前記マネキン人形の背面の適度な箇所に高度調整が可能な固定支柱を設置し、前記マネキン人形全体を支え、固定し、
前記マネキン人形の足は、２個の磁石が互いに引き寄せる作用を有すること、および突起部分と穴とがはまり込むことにより固定されることにより、簡単に前記マネキン人形のふくらはぎに結合可能であって離脱することがなく、簡単に前記マネキン人形のふくらはぎから取り外すことが可能であることを特徴とするマネキン人形。
【考案の詳細な説明】
【技術分野】
【０００１】
本考案はマネキン人形に関し、詳しくは、足の部分が簡単に交換かのうであり、靴の履き替えがしやすいマネキン人形の足の構造に関する。
【背景技術】
【０００２】
マネキン人形は主に服装、靴及び靴下を着用した後の姿を展示するために用いられる。これは、服装、靴及び靴下自体の美を表現するだけでなく、「動かない物体」として、長時間商店内に立っていることにより、服装、靴、靴下等の商品を展示するという目的を果すためある。人間のモデルではこれを達成することは無理であり、マネキン人形を使用することは経済的でもある。
【考案の開示】
【考案が解決しようとする課題】
【０００３】
しかしながら、従来のマネキン人形の支柱点は両足にあり、マネキン人形はその両足で完全に支えることにより立っていられるのである。このため、従来のマネキン人形の両足は、固定されており、交換や取り外しができなかった。したがって、従来のマネキン人形はいずれも服装の展示に用いられ、仮に靴を履いていたとしても、そのヒールの高さは同じであり、常に同じデザイン、サイズの靴しか履いていないという問題があった。
【課題を解決するための手段】
【０００４】
上述の課題を解決するために、本考案のマネキン人形は、分離できる設計を利用し、マネキン人形のふくらはぎと足の部分との二つの部分に分け、同一のマネキン人形のふくらはぎに異なる高度やサイズの足の部分を組み合わせて種類の異なる靴を履かせることにより、同じマネキン人形に異なる足の部分を交換し、異なる靴（ヒールの高さの異なる靴やブーツ等）を展示する目的を果す。
【０００５】
本考案のマネキン人形の足の構造は、マネキン人形のふくらはぎと足の部分が二つに分離でき、同時に、そのふくらはぎの断面に磁石及び多辺形の突起部分あるいは多辺形穴を設置する。そして、それに対応する足の部分の断面に、磁石及び多辺形突起部分あるいは多辺形穴が設置することにより、両方の磁石が互いに吸い付ける作用と、多辺形突起部分あるいは多辺形穴がはまり込んで固定される作用によって、足の部分が簡単にマネキン人形のふくらはぎに結合されて、離脱するのを回避する。あるいは、簡単にマネキン人形のふくらはぎから足の部分を取り外せるため、異なる足の部分に異なる靴を履かせ、同じマネキン人形に異なる足の部分を組み合わせて異なる靴（ヒールの高さの異なる靴やブーツ等）を展示することを特徴とする。また、マネキン人形の背面の適度な箇所に高度調整が可能な固定支柱を設置することで、マネキン人形全体を支え、固定することにより、従来のマネキン人形の固定支柱点が両足に設置されていることで足の部分が取り外せなかったために、異なる高さのヒールの靴を履かせることができなかったという問題を解決する。
【０００６】
（考案の効果）
本考案のマネキン人形は、分離できる設計を利用し、マネキン人形のふくらはぎと足の部分の二つの部分に分け、同一のマネキン人形のふくらはぎに異なる高度やサイズの足の部分を組み合わせて種類の異なる靴を履かせることにより、同じマネキン人形に異なる足の部分を交換し、異なる靴を展示できる効果を有する。
【考案を実施するための最良の形態】
【０００７】
（第一実施例）
本考案の第一実施例を図を参照して説明する。図１及び図２は、本考案の第一実施例によるマネキン人形の足の構造を示す模式図である。
本実施例のマネキン人形のふくらはぎ１とマネキン人形の足２は、２つの部分に分解できる設計となっている。このうち、マネキン人形のふくらはぎ１の断面は、磁石１０及び多辺形穴あるいは多辺形突起部分１１を有する。それに対応するマネキン人形の足２の断面は、磁石２０及び多辺形突起部分あるいは多辺形穴２１を有する。多辺形穴あるいは多辺形突起部分１１と多辺形突起部分あるいは多辺形穴２１が互いにはまり込むことと、磁石１０、２０が互いに吸い寄せる作用を有することにより、マネキン人形の足２は簡単にマネキン人形のふくらはぎ１に結合でき、離脱することがない。さらに、穴１１と突起部分２１が多辺形に設計されていることで、マネキン人形のふくらはぎ１に結合されたマネキン人形の足２は回転することがないため、マネキン人形の足２とマネキン人形のふくらはぎ１の間の結合関係に、ずれたり、スムーズにはまらないといった状況が発生せず、全体が一体成型のように完全に結合される。したがって、ヒールの高さが異なる足の部分に、異なる形、高さ、サイズの靴を組み合わせることができるため、マネキン人形に異なる形、高さ、サイズの靴を履かせて展示することが可能である。
【０００８】
図３に示したのは本実施例をローヒールの靴の組合せに応用した場合を示した図である。図４は本実施例をハイヒールの靴の組合せに応用した場合を示した図である。そして、図５は本実施例をブーツの組合せに応用した場合を示した図である。また、図６に示す通り、マネキン人形の全体の重力を転移するため、その背面に固定支柱３が設置される。この固定支柱３は、一本の細い棒３０で、その一端がマネキン人形の背面の適切な位置に固定される。他端は支えるために用いるか、土台３１に固定される。図７に示す通り、この細い棒３０は二節式で引き出せるような設計となっており、その外側の棒３００の固定ねじ３００ａが内側の棒３０１の締め付けを調整する。あるいは、図８に示す通り、かんぬき３００ｂを内側と外側との棒３００、３０１穴に挿入して設置することで、マネキン人形の高さを調整することができる。
【０００９】
（他の実施例）
本考案の第二実施例を図９を参照して説明する。本考案の他の実施例において、マネキン人形のふくらはぎ１とマネキン人形の足２の結合技術は、上述の構造以外に、以下の構造に取って代わることが可能である。マネキン人形のふくらはぎ１とマネキン人形の足２が組み合わさる面に、互いに対称に若干の穴１２と突起部分２２と磁石１３、２３とを設置し、対称の複数の穴１２と突起部分２２とが互いに組み合わさることと、組合せ面の磁石１３、２３が互いに吸い寄せる作用により、マネキン人形のふくらはぎ１とマネキン人形の足２は簡単に取り外したり、組み立てて一体化することが可能である。したがって、同じマネキン人形に異なる形、ヒールの高さの異なる靴を履かせて展示することが可能である。
【００１０】
上述のように、本考案の実施例のマネキン人形の足の構造は、操作が楽で便利な上、取り付けの際も簡単であり、実用的で、着脱可能な足の部分の構造である。簡単な技術で、簡単且つ確実にマネキン人形に、異なる形やヒールの高さの靴を組み合わせて履かせ、展示することが可能である。その構造はシンプルであり、コストも安く、展示様式に変化を持たせることが可能である。したがって、確実に、従来のマネキン人形の足の部分が分離できないことにより、常に同じ靴しか履かせることができない、あるいは、靴を履かせることができないといった問題を解決した。故に、本考案の実施例のマネキン人形の足の構造は、斬新で実用性に優れることを特徴とする。
【図面の簡単な説明】
【００１１】
【図１】本考案の一実施例によるマネキン人形の足の分解した状態を示す模式図。
【図２】本考案の一実施例によるマネキン人形の足の組立後の構造を示す模式図。
【図３】本考案の一実施例によるマネキン人形の足をローヒールの靴の組合せに応用した状態を示す模式図。
【図４】本考案の一実施例によるマネキン人形の足をハイヒールの靴の組合せに応用した状態を示す模式図。
【図５】本考案の一実施例によるマネキン人形の足をブーツの組合せに応用した状態を示す模式図。
【図６】本考案の一実施例によるマネキン人形の足の固定支柱を示す斜視図。
【図７】本考案の一実施例によるマネキン人形の足の固定支柱を示す断面図。
【図８】本考案の他の実施例によるマネキン人形の足の固定支柱を示す断面図。
【図９】本考案のさらに他の実施例によるマネキン人形の足の構造を示す模式図。
【符号の説明】
【００１２】
１：マネキン人形のふくらはぎ、１０、２０、１３、２３：磁石、２：マネキン人形の足、１１：多辺形穴あるいは多辺形突起部分、２１：多辺形突起部分あるいは多辺形穴、３：固定支柱、３０：細い棒、３１：土台、３０１、３００：内側、外側の棒、３００ａ：固定ねじ、３００ｂ：かんぬき、１２：穴、２２：突起部分
【図１】
0003135985.tif 000003
【図２】
0003135985.tif 000004
【図３】
0003135985.tif 000005
【図４】
0003135985.tif 000006
【図５】
0003135985.tif 000007
【図６】
0003135985.tif 000008
【図７】
0003135985.tif 000009
【図８】
0003135985.tif 000010
【図９】
0003135985.tif 000011